(57)【要約】【課題】Ｖチップなどの視聴制限により視聴不可となった場合、外部出力端子の使用用途に合わせた、外部出力に対する視聴制限制御をかけることができなかった。【解決手段】視聴者の外部出力端子の使用用途を判定する外部出力使用用途判定部と、前記使用用途判定結果と現在視聴中の番組のＶチップなどの視聴制限による視聴可否判定結果とを組み合わせて、外部出力端子からの映像と音声の外部出力に対しての視聴制限をどうするかの判定を行う外部出力用視聴制限判定部、前記外部出力に対して、本体表示部や本体内蔵スピーカーとは独立して、視聴制限制御を行うことができる外部出力用視聴制限制御部を有し、Ｖチップなどの視聴制限により視聴不可となった場合の外部出力に対して、使用目的に合った視聴制限制御に切り替えることができる。【選択図】図１
2007081511.tif 000002
【特許請求の範囲】
【請求項１】
映像と音声の外部出力端子を有するテレビジョン受像機において、
前記外部出力端子の用途を判定する判定手段と、
視聴制限により視聴不可となった番組の場合、前記判定手段の判定結果に基づいて、前記外部出力端子からの映像と音声の出力に対して視聴制限制御を行う制御手段とを備えたテレビジョン受像機。
【請求項２】
前記外部出力端子の用途の判定手段が、前記映像の外部出力端子にケーブルが接続されているかどうかにより判定することを特徴とした請求項１記載のテレビジョン受像機。
【発明の詳細な説明】
【技術分野】
【０００１】
本発明は、Ｖチップなどの視聴制限により視聴不可となった番組での、テレビジョン受像機の外部出力を制御するための装置および方法に関するものである。
【背景技術】
【０００２】
従来、テレビジョン受像機では、Ｖチップなどの視聴制限がかかった番組の視聴時、視聴中の視聴制限情報と視聴者が設定した視聴制限条件を比較し、その比較判定の結果、視聴制限条件を超過する番組であった場合、その番組は視聴不可と判定し、ブラウン管や液晶、プラズマパネルなどのテレビジョン本体表示部と本体内蔵スピーカーに対して、ミュートをかけるなどの視聴制限をかけている。
【０００３】
映像と音声の外部出力端子を備えたテレビジョン受像機においては、テレビジョン本体表示部と本体内蔵スピーカーに対して視聴制限をかけるのと同期して、外部出力端子からの映像と音声の出力に対しても視聴制限をかけていた。
【０００４】
例えば、特許文献１では、現在視聴者が受信を行っている番組が視聴制限条件を超過している番組か判定し、その判定結果が視聴不可であった場合、チューナーに対して視聴制限制御を行うことで、テレビジョン本体表示部とスピーカーだけでなく、録画用途に用いられる外部出力に対しても制限をかけるとしている。
【特許文献１】特開２００１−１４５０３３号公報（第１０頁、第１図）
【発明の開示】
【発明が解決しようとする課題】
【０００５】
近年、テレビジョン受像機の画面大型化に伴い、テレビジョン受信機の外部音声出力端子に、外部アンプや外部スピーカー等を接続し、テレビジョン本体表示部と外部スピーカーの組み合わせで視聴をする用途(以降、外部スピーカー使用目的とする）が増えてきている。
【０００６】
また、外部映像出力端子と外部音声出力端子に、ＶＴＲなどの外部録画機器を接続し、録画目的で使用する用途（以降、録画目的）も、デジタルチューナーを内蔵したテレビジョン受像機とデジタルチューナー非内蔵の録画機器との組み合わせを中心に増えてきている。
【０００７】
ここで、Ｖチップなどの視聴制限により現在視聴している番組が視聴不可となった場合の、外部出力端子からの映像と音声の出力に対しての視聴制限制御を考えると、前記外部スピーカー使用目的では、テレビジョン本体表示部からの映像出力にミュートがかかるのと同期して、外部スピーカーからの音声出力にもミュートがかかるのが望ましい。逆に、前記録画目的では、録画機器へ出力される映像信号に視聴制限情報を重畳できる場合は、再生時に視聴制限情報は復元できるので、録画を可能とすること、すなわち、録画機器への映像と音声の外部出力は許可とするのが望ましい。
【０００８】
しかしながら、前記従来の構成では、視聴者が外部スピーカー使用目的か録画目的か、どちらの用途で使用するかがわからないため、Ｖチップなどの視聴制限により視聴不可となった場合、外部出力端子からの映像と音声の出力に対する視聴制限制御は、外部スピーカー使用目的に合わせて常時外部出力を停止するか、もしくは、録画目的に合わせて常時外部出力を許可するか、のどちらか１つの選択しかできなかった。
【０００９】
本発明は、上記課題を解決するもので、視聴者がどのような用途で外部出力端子を使用しているかの判定ができ、その判定結果により、Ｖチップなどの視聴制限により視聴不可となった場合の外部出力に対する視聴制限制御を、使用目的に合った制御に切り替えることを可能とする装置を提供することを目的とする。
【課題を解決するための手段】
【００１０】
前記従来の課題を解決するため、本発明の請求項１に係る映像と音声の外部出力端子を有するテレビジョン受像機において、前記外部出力端子の用途を判定する判定手段と、視聴制限により視聴不可となった番組の場合、前記判定手段の判定結果に基づいて、前記外部出力端子からの映像と音声の出力に対して視聴制限制御を行う制御手段とを備えている。
【００１１】
また、本発明の請求項２に係わるテレビジョン受信機は、前記外部出力端子の用途の判定手段が、前記映像の外部出力端子にケーブルが接続されているかどうかにより判定することを特徴としている。
【発明の効果】
【００１２】
以上のように、本発明の外部出力に対する視聴制限制御の切替手段によれば、Ｖチップなどの視聴制限により視聴不可となった場合の映像と音声の外部出力端子からの外部出力に対する視聴制限制御を、外部出力の使用目的により切り替えることで、前記外部スピーカー使用目的と前記録画目的の両方に対応した外部出力の使い方が可能となる。
【発明を実施するための最良の形態】
【００１３】
以下に、本発明の実施の形態について、図面を参照しながら説明する。
【００１４】
（実施の形態１）
図１は、外部出力に対する視聴制限制御の切替手段を備えたテレビジョン受像機のブロック図である。図１において符号１００は入力ソース切替部、符号１０１は音声信号処理部、符号１０２は映像信号処理部、符号１０３は本体用視聴制限制御部、符号１０４は本体内蔵スピーカー、符号１０５は本体表示部、符号１０６は視聴制限情報デコーダー部、符号１０７は視聴制限条件入力部、符号１０８は視聴制限条件記憶部、符号１０９は視聴制限条件判定部、符号１１０は外部出力用視聴制限制御部、符号１１１は外部音声出力端子、符号１１２は外部映像出力端子、符号１１３は外部出力用視聴制限判定部、符号１１４は端子接続検出部を示す。
【００１５】
入力ソース切替部１００は、テレビジョン受像機内蔵のチューナー、ＶＴＲやＤＶＤプレーヤーなどの外部再生機器から入力されている複数の映像信号と音声信号の中から、視聴者が選択した入力ソースの映像信号と音声信号を出力する。
【００１６】
入力ソース切替部１００から出力された映像信号は、映像信号処理部１０２を介して、ブラウン管や液晶、プラズマパネルなどの本体表示部１０５より出力され、音声信号は、音声信号処理部１０１を介して、本体内蔵スピーカーより出力される。
【００１７】
また、入力ソース切替部１００から出力された映像信号と音声信号は、外部映像出力端子１１２と外部音声出力端子１１１にも同様に出力され、ＶＴＲなどの外部録画機器を、外部映像出力端子１１２と外部音声出力端子１１１に接続することで、前記録画目的での利用が、外部音声出力端子１１１に外部アンプや外部スピーカーを接続することで、前記外部スピーカー使用目的での利用が可能となる。
【００１８】
次に、図１と図２を用いて、Ｖチップなどの視聴制限により、本体表示部１０５や本体内蔵スピーカー１０４が視聴不可となる時の動作を説明する。図２は視聴判定部１０９での処理を示すフローチャートである。
【００１９】
視聴制限情報デコーダー部１０６は、入力ソース切替部１００から出力される現在視聴中の映像信号から視聴制限情報を抜き取り、視聴制限判定部１０９に送る。（図２のＳ２００）
視聴制限判定部１０９は、視聴制限条件記憶部１０８からの視聴制限条件情報と、前記視聴中の番組の視聴制限情報との比較を行い（図２のＳ２０１）、その比較判定結果は、本体用視聴制限制御部１０３に送られる。
【００２０】
前記比較判定の結果が、視聴不可であった場合（図２のＳ２０２で、「Ｎｏ」）、本体用視聴制限制御部１０３において、本体内蔵スピーカー１０４と本体表示部１０５への音声と映像出力にミュートをかけるなどすることで、視聴者に視聴させたくない番組、例えば、親が子に見せたくない番組の視聴を制限することができる。
【００２１】
一方、前記比較判定の結果が、視聴可能であった場合（図２のＳ２０２で、「Ｙｅｓ」）は、本体用視聴制限制御部１０３において、視聴制限制御は行われず、本体内蔵スピーカー１０４と本体表示部１０５から、通常通り、音声と映像が出力される。
【００２２】
さて、本発明のポイントである、Ｖチップなどの視聴制限により視聴不可となった場合の、外部出力端子からの映像と音声の外部出力に対する視聴制限制御の動作を、図１と図３、図４を用いて説明する。図３は外部出力用視聴制限判定部１１３での処理を示すフローチャート、図４は、映像出力端子接続状況による視聴制限時の外部出力を示す図である。
【００２３】
前記本体用視聴制限制御部１０３に送られた、視聴判定部１０９からの比較判定結果は、外部出力用視聴制限判定部１１３にも、同様に送られる。（図３のＳ３００）
前記比較判定の結果が、視聴可であった場合（図３のＳ３０１で、「Ｙｅｓ」）は、外部出力に対して視聴制限をかけないとする判定結果を、外部出力用視聴制限制御部１１０に対して送り、外部出力端子からの出力に視聴制限をかけない。（Ｓ３０２）。
【００２４】
前記比較判定の結果が、視聴不可であった場合（図３のＳ３０１で、「Ｎｏ」）は、外部出力用視聴制限判定部１１３は、端子検出部１１４から端子接続情報より、外部映像端子１１２にケーブルが接続されているかどうかの判定を行う。（図３のＳ３０３）
映像出力端子１１２にケーブルが接続されている場合（図３のＳ３０３で、「Ｙｅｓ」）は、前記録画目的で外部出力を使用しているとみなし、外部出力に対して視聴制限をかけないとする判定結果を、外部出力用視聴制限制御部１１０に対して送り、外部出力端子からの出力に視聴制限をかけないようにすることで、視聴不可時でも外部出力端子からの録画が可能となる。（図４の状態１）
映像出力端子１１２にケーブルが接続されていない場合（図３のＳ３０３で、「Ｎｏ」）は、前記外部スピーカー使用目的で外部出力を使用しているとみなし、外部出力に対して視聴制限をかける判定結果を、外部出力用視聴制限制御部１１０に対して送り、外部出力端子からの出力にミュートをかけるなどの視聴制限をかけることで、視聴不可時、本体表示部１０５へ視聴制限がかかるのと同期して、外部スピーカーからの音声出力にミュートをかけることができる。（図４の状態２）
なお、外部出力端子の使用用途の判定に、外部出力端子の端子検出情報を用いたが、視聴者が視聴制限時の外部出力の許可／停止を切り替えることができる手段を設けるなどとしてもよい。
【００２５】
以上のように、本発明では、従来の技術では両立することができなかった、外部出力端子の使用用途が録画目的の場合と、外部スピーカー使用目的の場合の両方において、それぞれ最適となる視聴制限により視聴不可となった場合の外部出力の視聴制限制御を行うことを可能としている。
【００２６】
なお、映像出力端子の検出は一定間隔にて常に行っているため、例えば、視聴制限により視聴不可となった番組の視聴中に、外部出力端子を外部スピーカーからＶＴＲにつなぎかえるなどした時は、即座に、出力停止状態（図４の状態２）から出力許可状態（図４の状態１）に切り替わり、ＶＴＲへの録画が可能となる。これは、子と一緒に視聴しているとき、視聴制限がかかったが、録画をしておき、後で親だけ見たいときなどの場合に有用である。
【産業上の利用可能性】
【００２７】
本発明の外部出力に対する視聴制限制御の切替手段を備えたテレビジョン受像機は、Ｖチップなどの視聴制限により視聴不可となった番組の時に、外部出力端子を前記録画目的でも前記外部スピーカー使用目的のどちらの使用用途でも使えるようになる。
【図面の簡単な説明】
【００２８】
【図１】本発明の実施の形態１における外部出力に対する視聴制限制御の切替手段を備えたテレビジョン受像機の構成を示すブロック図
【図２】本発明の実施の形態１における視聴制限判断部の処理を示すフローチャート
【図３】本発明の実施の形態１における外部出力用視聴制限判断部の処理を示すフローチャート
【図４】本発明の実施の形態１における映像出力端子接続状況による視聴制限時の外部出力を示す図
【符号の説明】
【００２９】
１００    入力ソース切替部
１０１    音声信号処理部
１０２    映像信号処理部
１０３    本体用視聴制限制御部
１０４    本体内蔵スピーカー
１０５    本体表示部
１０６    視聴制限情報デコーダー部
１０７    視聴制限条件入力部
１０８    視聴制限条件記憶部
１０９    視聴制限条件判定部
１１０    外部出力用視聴制限制御部
１１１    外部音声出力端子
１１２    外部映像出力端子
１１３    外部出力用視聴制限判定部
１１４    端子接続検出部
【図１】
2007081511.tif 000003
【図２】
2007081511.tif 000004
【図３】
2007081511.tif 000005
【図４】
2007081511.tif 000006